(57)【要約】  本発明は長期発展型システムに応用されるエクステンド・サイクリックプレフィックス・フレーム構造のダウンリンク個別パイロットと物理しソースブロックとのマッピング方法を開示しており、チャネルの１番目のダウンリンク個別パイロットを物理リソースブロックにおいて具体的な位置にマッピングするステップと、２個或は３個の直交周波数分割多重シンボルを間隔する時間領域での間隔、同一の時間領域において２個のサブキャリアを間隔する周波数領域での間隔、および所定の規則に従って、チャネルの他のダウンリンク個別パイロットに対してマッピング処理を行うステップとを含む。本発明は、パイロットシンボルの物理リソースブロックにおける位置を特定することにより、基地局で４本以上のアンテナでビーム形成を行う場合に、共通パイロットによりすべてのチャネルの情報が取得できる。個別パイロットにより取得されるチャネル情報に真実なチャネルの情報とビーム形成重み値を含めさせることにより、ＵＥによるビーム形成の発射重み値の取得が必要なく、ビーム形成重み値のフィードバックオーバヘッドを回避することができる。
2011504028.tif 000002
【特許請求の範囲】
【請求項１】
長期発展型システムに応用されるエクステンド・サイクリックプレフィックス・フレーム構造のダウンリンク個別パイロットと物理リソースブロックとのマッピング方法であって、
チャネルの１番目のダウンリンク個別パイロットを物理リソースブロックにおいて具体的な位置にマッピングするステップと、
２個或は３個の直交周波数分割多重シンボルを間隔する時間領域での間隔、同一の時間領域において２個のサブキャリアを間隔する周波数領域での間隔、及び所定の規則に従って、チャネルの他のダウンリンク個別パイロットに対してマッピング処理を行うステップと、
を含むことを特徴とするマッピング方法。
【請求項２】
前記所定の規則は、前記物理リソースブロックにおいて、周波数領域で１２個のサブキャリアをマッピングし、同一の時間領域でチャネルの４個のダウンリンク個別パイロットを順次に２個ずつサブキャリアを間隔するようにマッピングする
ことを特徴とする請求項１に記載のマッピング方法。
【請求項３】
前記物理リソースブロックにおいて、前記ダウンリンク個別パイロットを１チャネルだけ発送する
ことを特徴とする請求項１又は請求項２に記載のマッピング方法。
【請求項４】
前記具体的な位置は、時間領域での対応位置を５番目の直交周波数分割多重シンボルに位置させ、周波数領域での対応位置を物理リソースブロックの第１列共通パイロットと同じサブキャリアに位置させる
ことを特徴とする請求項３に記載のマッピング方法。
【請求項５】
前記物理リソースブロックは、周波数領域で１２個のサブキャリアを含み、時間領域で１２個の直交周波数分割多重シンボルを含み、
１番目のダウンリンク個別パイロットを時間領域で５番目の直交周波数分割多重シンボルに、周波数領域でＡ番目のサブキャリアにマッピングし、２番目のダウンリンク個別パイロットを時間領域で５番目の直交周波数分割多重シンボルに、周波数領域でＡ＋３番目のサブキャリアにマッピングし、３番目のダウンリンク個別パイロットを時間領域で５番目の直交周波数分割多重シンボルに、周波数領域でＡ＋６番目のサブキャリアにマッピングし、４番目のダウンリンク個別パイロットを時間領域で５番目の直交周波数分割多重シンボルに、周波数領域でＡ＋９番目のサブキャリアにマッピングし、
５番目のダウンリンク個別パイロットを時間領域で８番目の直交周波数分割多重シンボルに、周波数領域でＢ番目のサブキャリアにマッピングし、６番目のダウンリンク個別パイロットを時間領域で８番目の直交周波数分割多重シンボルに、周波数領域でＢ+３番目のサブキャリアにマッピングし、７番目のダウンリンク個別パイロットを時間領域で８番目の直交周波数分割多重シンボルに、周波数領域でＢ+６番目のサブキャリアにマッピングし、８番目のダウンリンク個別パイロットを時間領域で８番目の直交周波数分割多重シンボルに、周波数領域でＢ+９番目のサブキャリアにマッピングし、
９番目のダウンリンク個別パイロットを時間領域で１２番目の直交周波数分割多重シンボルに、周波数領域でＣ番目のサブキャリアにマッピングし、１０番目のダウンリンク個別パイロットを時間領域で１２番目の直交周波数分割多重シンボルに、周波数領域でＣ＋３番目のサブキャリアにマッピングし、１１番目のダウンリンク個別パイロットを時間領域で１２番目の直交周波数分割多重シンボルに、周波数領域でＣ＋６番目のサブキャリアにマッピングし、８番目のダウンリンク個別パイロットを時間領域で１２番目の直交周波数分割多重シンボルに、周波数領域でＣ＋９番目のサブキャリアにマッピングし、
そのなか、Ｂ、Ｃ=１或は２或は３である
ことを特徴とする請求項３に記載のマッピング方法。
【請求項６】
前記物理リソースブロックにおいて、前記ダウンリンク個別パイロットがマルチ・チャネルであり、各チャネルのダウンリンク個別パイロットの前記物理リソースブロックにマッピングされる具体的な位置は、時間領域での対応位置を全て前記物理リソースブロックの５番目の直交周波数分割多重シンボルに位置させ、周波数領域での対応位置を相互にずらさせる
ことを特徴とする請求項１又は請求項２に記載のマッピング方法。
【請求項７】
前記物理リソースブロックは、周波数領域で１２個のサブキャリアを含み、時間領域で１２個の直交周波数分割多重シンボルを含み、
チャネルの１２個のダウンリンク個別パイロットを４組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを８番目の直交周波数分割多重シンボルに、第３組のダウンリンク個別パイロットを１１或は１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを順次に２個ずつサブキャリアを間隔するようにマッピングする
ことを特徴する請求項３に記載のマッピング方法。
【請求項８】
前記物理リソースブロックは、周波数領域で１２個のサブキャリアを含み、時間領域で１２個の直交周波数分割多重シンボルを含み、
チャネルの１２個のダウンリンク個別パイロットを４組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを９番目の直交周波数分割多重シンボルに、第３組のダウンリンク個別パイロットを１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを順次に２個ずつサブキャリアを間隔するようにマッピングする
ことを特徴する請求項３に記載のマッピング方法。
【請求項９】
１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に１、４、７、１０番目、或は３、６、９、１２番目のサブキャリアにマッピングし、
９、１０、１１、１２番目のダウンリンク個別パイロットを、時間領域で全て１１又は１２番目の直交周波数分割多重シンボルにマッピングし、周波数領域で順次に１、４、７、１０番目のサブキャリアにマッピングする
ことを特徴とする請求項７に記載のマッピング方法。
【請求項１０】
１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に２、５、８、１１番目のサブキャリアにマッピングし、
９、１０、１１、１２番目のダウンリンク個別パイロットを、時間領域で全て１１又は１２番目の直交周波数分割多重シンボルに、周波数領域で順次に３、６、９、１２番目のサブキャリアにマッピングする
ことを特徴とする請求項７に記載のマッピング方法。
【請求項１１】
１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て９番目の直交周波数分割多重シンボルに、周波数領域で順次に３、６、９、１２番目のサブキャリアにマッピングし、
９、１０、１１、１２番目のダウンリンク個別パイロットを、時間領域で全て１２番目の直交周波数分割多重シンボルに、周波数領域で順次に１、４、７、１０番目のサブキャリアにマッピングする
ことを特徴とする請求項８に記載のマッピング方法。
【発明の詳細な説明】
【技術分野】
【０００１】
本発明は無線通信の技術分野に関り、具体的に長期発展型システム（Long term evolution、ＬＴＥと略称される）におけるエクステンド・サイクリックプレフィックス（Extend Cyclic Prefix、Extend ＣＰと略称される）・フレーム構造のダウンリンク個別パイロットと物理リソースブロックとのマッピング方法に関る。
【背景技術】
【０００２】
ＬＴＥ（Long term evolution、即ち、長期発展型システム）規格の現在のバージョンである３ＧＰＰ（3rd Generation partnership project、即ち、第三代提携パートナー計画） ＴＳ３６.２１１では、シングル・フローのビーム形成(Beamforming)技術が規定されている。ＬＴＥ規格の現在のバージョンでは４チャネルの共通パイロットだけが定義されているが、伝統的なビーム形成が６本以上の発射アンテナにより行われることが多くて、実際に各アンテナ・ポート毎にチャネル情報が４チャネルの共通パイロットうちの対応する共通パイロットにより抽出されるので、すべてのアンテナの真実なチャネル情報を取得できない。
【０００３】
６〜８本のアンテナ・ポートに対して共通パイロットを挿入するように共通パイロット数を増加すると、パイロット・オーバヘッドは非常に大きくなり、且つアップリンク/ダウンリンクにおいて推定された真実なチャネル情報にも差異があるので、真実なチャネル情報を推定するために、ビーム形成の重み値のフィードバック情報も必要がある。
【発明の開示】
【０００４】
基地局で４本以上のアンテナでビーム形成を行う場合に、共通パイロットにより全てのチャネル情報を取得できなく、ビーム形成重み値のフィードバックオーバヘッドが存在する問題に鑑みて、本発明はエクステンド・サイクリックプレフィックス・フレーム構造のダウンリンク個別パイロットと物理リソースブロックとのマッピング方法を提供し、小さいオーバヘッドでかつ優れた性能でビーム形成を行うことができる。
【０００５】
前記の技術問題を解決するために、本発明の長期発展型システムに応用されるエクステンド・サイクリックプレフィックス・フレーム構造のダウンリンク個別パイロットと物理リソースブロックとのマッピング方法は、
チャネルの１番目のダウンリンク個別パイロットを物理リソースブロックの具体的な位置にマッピングするステップと、
２個或は３個の直交周波数分割多重シンボルを間隔する時間領域での間隔、同一の時間領域において２個のサブキャリアを間隔する周波数領域での間隔、及び所定の規則に従って、チャネルの他のダウンリンク個別パイロットに対してマッピング処理を行うステップを含む。
【０００６】
更に、所定の規則は、物理リソースブロックにおいて、周波数領域で１２個のサブキャリアをマッピングし、同一の時間領域でチャネルの４個のダウンリンク個別パイロットを順次に２個のサブキャリアを間隔するようにマッピングする。
【０００７】
更に、物理リソースロックにおいて、ダウンリンク個別パイロットを１チャネルだけ発送する。
【０００８】
更に、具体的な位置は、時間領域での対応位置を５番目の直交周波数分割多重シンボルに位置させ、周波数領域での対応位置を物理リソースブロックにおける第１列の共通パイロットのサブキャリアと同じにする。
【０００９】
更に、物理リソースブロックは、周波数領域で１２個のサブキャリアを含み、時間領域で１２個の直交周波数分割多重シンボルを含み、
１番目のダウンリンク個別パイロットを時間領域で５番目の直交周波数分割多重シンボルに、周波数領域でＡ番目のサブキャリアにマッピングし、２番目のダウンリンク個別パイロットを時間領域で５番目の直交周波数分割多重シンボルに、周波数領域でＡ＋３番目のサブキャリアにマッピングし、３番目のダウンリンク個別パイロットを時間領域で５番目の直交周波数分割多重シンボルに、周波数領域でＡ＋６番目のサブキャリアにマッピングし、４番目のダウンリンク個別パイロットを時間領域で５番目の直交周波数分割多重シンボルに、周波数領域でＡ＋９番目のサブキャリアにマッピングし、
５番目のダウンリンク個別パイロットを時間領域で８番目の直交周波数分割多重シンボルに、周波数領域でＢ番目のサブキャリアにマッピングし、６番目のダウンリンク個別パイロットを時間領域で８番目の直交周波数分割多重シンボルに、周波数領域でＢ+３番目のサブキャリアにマッピングし、７番目のダウンリンク個別パイロットを時間領域で８番目の直交周波数分割多重シンボルに、周波数領域でＢ+６番目のサブキャリアにマッピングし、８番目のダウンリンク個別パイロットを時間領域で８番目の直交周波数分割多重シンボルに、周波数領域でＢ+９番目のサブキャリアにマッピングし、
９番目のダウンリンク個別パイロットを時間領域で１２番目の直交周波数分割多重シンボルに、周波数領域でＣ番目のサブキャリアにマッピングし、１０番目のダウンリンク個別パイロットを時間領域で１２番目の直交周波数分割多重シンボルに、周波数領域でＣ＋３番目のサブキャリアにマッピングし、１１番目のダウンリンク個別パイロットを時間領域で１２番目の直交周波数分割多重シンボルに、周波数領域でＣ＋６番目のサブキャリアにマッピングし、８番目のダウンリンク個別パイロットを時間領域で１２番目の直交周波数分割多重シンボルに、周波数領域でＣ＋９番目のサブキャリアにマッピングし、
そのなか、Ｂ、Ｃ=１或は２或は３である。
【００１０】
更に、物理リソースブロックにおいて、ダウンリンク個別パイロットはマルチ・チャネルであり、チャネルのダウンリンク個別パイロットの物理リソースブロックにマッピングされる具体的な位置は、時間領域での対応位置を全て物理リソースブロックの５番目の直交周波数分割多重シンボルに位置させ、周波数領域での対応位置を相互にずらさせる。
【００１１】
更に、物理リソースブロックは、周波数領域で１２個のサブキャリアを含み、時間領域で１２個の直交周波数分割多重シンボルを含んで、
チャネルの１２個のダウンリンク個別パイロットを４組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを８番目の直交周波数分割多重シンボルに、第３組のダウンリンク個別パイロットを１１或は１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを２個ずつサブキャリアを順次に間隔するようにマッピングする。
【００１２】
更に、物理リソースブロックは、周波数領域で１２個のサブキャリアを含み、時間領域で１２個の直交周波数分割多重シンボルを含み、
チャネルの１２個のダウンリンク個別パイロットを４組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを９番目の直交周波数分割多重シンボルに、第３組のダウンリンク個別パイロットを１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを、２個ずつサブキャリアを順次に間隔するようにマッピングする。
【００１３】
更に、１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に１、４、７、１０番目、或は３、６、９、１２番目のサブキャリアにマッピングし、
９、１０、１１、１２番目のダウンリンク個別パイロットを、時間領域で全て１１或は１２番目の直交周波数分割多重シンボルに、周波数領域で順次に１、４、７、１０番目のサブキャリアにマッピングする。
【００１４】
更に、１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に２、５、８、１１番目のサブキャリアにマッピングし、
９、１０、１１、１２番目のダウンリンク個別パイロットを、時間領域で全て１１或は１２番目の直交周波数分割多重シンボルに、周波数領域で順次に３、６、９、１２番目のサブキャリアにマッピングする。
【００１５】
更に、１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て９番目の直交周波数分割多重シンボルに、周波数領域で順次に３、６、９、１２番目のサブキャリアにマッピングし、
９、１０、１１、１２番目のダウンリンク個別パイロットを、時間領域で全て１２番目の直交周波数分割多重シンボルに、周波数領域で順次に１、４、７、１０番目のサブキャリアにマッピングする。
【００１６】
以上をまとめると、本発明は下記の有益な効果を実現することができる。
(１) パイロットシンボルの物理リソースブロックにおける位置を特定することにより、基地局で４本以上のアンテナによりビーム形成を行う場合に、ＬＴＥ規格の現在のバージョンで共通パイロットにより全部のチャネル情報を取得できない問題を解決した。
(２) 個別パイロットにより獲得されたチャネル情報に真実なチャネルの情報とビーム形成の重み値を含ませることにより、ＵＥによるビーム形成の発射重み値の取得が必要なく、ビーム形成重み値のフィードバックオーバヘッドを回避することができる。
(３)また、従来の個別パイロットのマッピング方法に比べて、本発明は時間領域での最初位置の設計がより適切であり、同じパイロットオーバヘッドの場合に性能がより優れる。
(４)個別パイロットの周波数領域での最初位置は共通パイロットと相隣するので、チャネル情報の抽出位置と応用位置とを一致させ、積算誤差を減少させる。
(５)個別パイロットの時間領域および周波数領域での分布は非常に均等なので、チャネル推定の品質が確保される。
【図面の簡単な説明】
【００１７】
次に、本発明について、図面と具体的な実施例を参照しながら更なる詳細な説明を行う。
【図１】は３ＧＰＰ ＴＳ ３６.２１１では規定されたエクステンド・サイクリックプレフィックス・フレーム構造において前の２チャネルを共通パイロットとして採用された物理リソースブロックを模式的に示す図であり、
【数１】
2011504028.tif 000003
：アンテナ・ポート０から発送される共通パイロットを表し、
【数２】
2011504028.tif 000004
：アンテナ・ポート１から発送される共通パイロットを表し、
【数３】
2011504028.tif 000005
：アンテナ・ポート２から発送される共通パイロットを表し、
【数４】
2011504028.tif 000006
：アンテナ・ポート３から発送される共通パイロットを表し、
【数５】
2011504028.tif 000007
：リソースエレメントを表す。
【図２】は本発明の方法による実施例のダウンリンク個別パイロットと物理リソースブロックとのマッチング方法のフローチャートである。
【図３】は図２に示す方法の例示一を模式的に示す図である。
【図４】は図２に示す方法の例示二を模式的に示す図である。
【図５】は図２に示す方法の例示三を模式的に示す図である。
【図６】は図２に示す方法の例示四を模式的に示す図である。
【図７】は図２に示す方法の例示五を模式的に示す図である。
【図８】は図２に示す方法の例示六を模式的に示す図である。  図３〜図８では、
【数６】
2011504028.tif 000008
はダウンリンク個別パイロットを表し、
【数７】
2011504028.tif 000009
はリソースエレメントを表す。
【発明を実施するための最良の形態】
【００１８】
ＬＴＥ規格の現在のバージョンでは、基地局で４本以上のアンテナによりビーム形成を行う場合に、共通パイロットはすべてのチャネル情報が取得できなく、ビーム形成重み値のフィードバックによるオーバヘッドなどの問題が存在している。ビーム形成用ダウンリンク個別パイロットは、マルチ・アンテナの重み付き処理により、複数の発射アンテナを１本のアンテナ・ポートに合成し、即ち、１チャネルのダウンリンク個別パイロットにより全ての発射アンテナのチャネル情報が推定できるだけでなく、マルチ・アンテナの重み付き処理されたチャネル情報が推定できる。これを考えると、ダウンリンク個別パイロットの採用はオーバヘッドの低減、性能の提高に有利である。
【００１９】
本発明は物理リソースブロックにおけるパイロットシンボルの位置を特定することにより、即ち、ダウンリンク個別パイロットのＬＴＥシステムにおけるエクステンド・サイクリックプレフィックス・フレーム構造から発送される位置と、時間領域での間隔と、周波数領域での間隔とを定義することにより、ダウンリンク個別パイロットがＬＴＥシステムで動作するための基礎を提供している。このように、ＬＴＥの現在のバージョンで本発明の実施例による個別パイロットに対する設計を使用すれば、小さいオーバヘッドと優れた性能でビーム形成を行うことができる。前記のエクステンド・サイクリックプレフィックス・フレーム構造とは、ＲＢ(Resource Block、ＲＢと略称される)において周波数領域で１２個のサブキャリアを含み、時間領域で１２個のＯＦＤＭシンボルを含むことを指す。
【００２０】
また、ＬＴＥ規格第５２回会議でノーマル・サイクリックプレフィックス（Normal Cyclic Prefix、Normal  ＣＰと略称される）・フレーム構造のダウンリンク個別パイロットと物理リソースブロックとのマッピング方法が定義されている。この会議の結論に基づいて、本発明のオーバヘッドが小さく、性能が優れたエクステンド・サイクリックプレフィックス・フレーム構造のダウンリンク個別パイロットと物理リソースブロックとのマッピング方法を提案する。
【００２１】
ＬＴＥ規格第５２回会議で定義されたノーマル・サイクリックプレフィックス・フレーム構造におけるダウンリンク個別パイロットと物理リソースブロックとのマッピング方法に基づいて、ビーム形成用ダウンリンク個別パイロットを採用する場合に、チャネルの検出を全方向的に制御するための４チャネルの共通パイロットを挿入する。４チャネルの共通パイロットと最小の物理リソースブロックとのマッピング関係は図１に示す。図１にはアンテナ・ポート０〜３のそれぞれから転送される共通パイロット及びリソースエレメントを示す。
【００２２】
図面を参照しながら本発明の最良な実施の形態について説明する。ここで記述する最良な実施例が本発明を説明、解釈するものだけであり、本発明を限定するものではないことを理解すべきである。
【００２３】
図２は本発明のエクステンド・サイクリックプレフィックス・フレーム構造のダウンリンク個別パイロットと物理リソースブロックとのマッピング方法を示す。この方法は、
・ステップＳ２０２：同一の時間領域にマッピングするダウンリンク個別パイロットに周波数領域で順次に２個のサブキャリアを間隔させる周波数領域での間隔の設定処理と、
・ステップＳ２０４：異なる時間領域にマッピングするダウンリンク個別パイロットに時間領域で順次に２個又は３個のＯＦＤＭシンボルを間隔させる時間領域での間隔の設定処理と、
・ステップＳ２０６：１番目のダウンリンク個別パイロットを、物理リソースブロックにおいて周波数領域での初期位置を示すＡ及び時間領域での初期位置を示すＤで表す初期位置と呼ばれる具体的な位置にマッピングする初期マッピング処理と、
・ステップＳ２０８：１番目のダウンリンク個別パイロットの初期位置、周波数領域での間隔、時間領域での間隔、及び所定の規則に基づいて、他のダウンリンク個別パイロットに対するマッピング処理とを含む。
【００２４】
前記所定の規則は、前記物理リソースブロックにおいて、周波数領域で１２個のサブキャリアをマッピングし、同一の時間領域でチャネルの４個のダウンリンク個別パイロットを順次に２個のサブキャリアを間隔するようにマッピングする。マルチ・チャンネルのダウンリンク個別パイロットの場合、各チャネルに同じ方法で処理すれば良い。
【００２５】
以下前記の各ステップについて詳細に説明する。
・ステップＳ２０２：周波数領域での間隔の設定処理（或は周波数領域での密度の設定処理と称される）
本発明は、１個のＲＢにおいて、ビーム形成用ダウンリンク個別パイロットに周波数領域で順次に２個のサブキャリアを間隔させ、複数のＲＢを一括に発送する場合に、個別パイロットの周波数領域での密度がいずれも２個のサブキャリアを間隔するように均等な分布を保持させることが特定される。
【００２６】
個別パイロットシンボルの周波数領域に挿入される密度は、干渉帯域幅によるものであり、推定されたチャネルの歪みを避けるためにその最低限がナイキストのサンプリング定理によって決定される。長いＰＣのフレーム構造は、カバー範囲が広いシーンに使用され、チャネルの周波数選択性フェージングがより顕著になる。チャネル推定性能を更に確保するために、パイロットシンボル数をサンプリング定理によるパイロットシンボル数の４倍とすると、パイロットの周波数領域での間隔Ｓｆは式(１)のように表される。
【数８】
2011504028.tif 000010
式(１)では、Δｆはサブキャリアの間隔であり、 はチャネルの最大時間遅延である（これらのパラメーターは３ＧＰＰＴＲ２５．９９６を参照）。したっがて、周波数領域で２個のサブキャリアを間隔させる個別パイロットの設計はチャネル推定の要求を充分的に満たすことができる。
【００２７】
・ステップＳ２０４：時間領域での間隔の設定処理（或は時間領域での密度の設定処理と称される）
時間領域に挿入されるパイロットシンボルの密度は、干渉時間によるものであり、推定されたチャネルの歪みを避けるためにその最低限がナイキストのサンプリング定理によって決定される。チャネル推定性能を更に確保するために、パイロットシンボル数をサンプリング定理によるパイロットシンボル数の２倍とすると、パイロットの時間領域での間隔Ｓｔは式（２）のように表される。
【数９】
2011504028.tif 000011
式(２)では、fdは最大ドップラー周波数シフトであり、LTEではUEの最大移動速度が３５０km/hに規定されているので、ここで、fd＝６４８Ｈzである。Tfは１個のＯＦＤＭシンボルの時間である。ダウンリンク個別パイロットに２〜３個のＯＦＤＭシンボルを間隔させることにより、高速のチャネル推定の要求を満たすことができる。
【００２８】
前記のように時間領域での間隔および周波数領域での間隔の設定処理により、個別パイロットの時間領域および周波数領域での分布が非常に均等になり、チャネル推定の品質を確保することができる。
【００２９】
・ステップＳ２０６：初期マッピング処理
このステップでは、Ｄを時間領域での初期位置に設定し、Ａを最小の物理リソースブロックのＯＦＤＭシンボルにマッピングされた１番目の共通パイロットが所在のサブキャリアの位置と同じように設定し、即ち、Ａはリソースブロックの第１列共通パイロットと同じ位置にあるサブキャリアである。
【００３０】
好ましく、Ａ=１、Ｄ=５、即ち、１番目のダウンリンク個別パイロットのマッピングされる位置は、周波数領域での開始位置を１番目のサブキャリアにし、時間領域での位置を５番目ＯＦＤＭシンボルにする。このように個別パイロットの時間領域での開始位置を設定する本発明は、従来の個別パイロットのマッピング方法に比べて、より適切で、同じパイロットオーバヘッドの場合、性能がより優れる。
【００３１】
(１)周波数領域での開始位置
１行目ビーム形成用ダウンリンク個別パイロットを周波数領域で１番目のサブキャリアから開始させ、個別パイロットと共通パイロットとの周波数領域での開始位置を同じさせることにより、ビーム形成重み値がアップリンク或はダウンリンク共通パイロットにより真実なチャネルを推定することにより獲得された後、相隣位置のパイロットに使用されることで、より正確にチャネル情報を復調することができる。
【００３２】
(２)時間領域での開始位置
ダウンリンク個別パイロットの時間領域での開始位置を５番目ＯＦＤＭシンボルに設定することにより、個別パイロットの物理リスースブロックにおける均等分布を確保し、より優れたチャネル推定性能を実現することができる。
【００３３】
・ステップＳ２０８：このステップで、同一の時間領域に４個のダウンリンク個別パイロットをマッピングする。
【００３４】
個別パイロットと共通パイロットは周波数領域での位置が同じであることは、チャネル推定補間の性能の提高に有利であり、且つビーム形成の過程にわたってチャネル情報の抽出位置と応用位置とを一致させ、積算誤差を低減させる。
【００３５】
（一）前記の方法によければ、かかるダウンリンク個別パイロットは１チャネル（シングルビームに対応する）である場合
初期位置は、時間領域での対応位置が５番目ＯＦＤＭシンボルであり、周波数領域での位置が物理リソースブロックの第１列共通パイロットと同じサブキャリアに設定される。
【００３６】
かかる物理リソースブロックは、周波数領域で１２個のサブキャリア、即ち、１〜１２番目のサブキャリアを含み、時間領域で１２個の直交周波数分割多重シンボル、即ち１〜１２番目の直交周波数分割多重シンボルを含む。
【００３７】
１チャネルの１２個のダウンリンク個別パイロットを４組に分け、各組に同一の直交周波数分割多重シンボルにある４個のダウンリンク個別パイロットを含む。
【００３８】
時間領域では、第１組のダウンリンク個別パイロットは５番目の直交周波数分割多重シンボルに、第２組のダウンリンク個別パイロットは８番目の直交周波数分割多重シンボルに、第３組のダウンリンク個別パイロットは１１又は１２番目の直交周波数分割多重シンボルにそれぞれマッピングされ、或は、第１組のダウンリンク個別パイロットは５番目の直交周波数分割多重シンボルに、第２組のダウンリンク個別パイロットは９番目の直交周波数分割多重シンボルに、第３組のダウンリンク個別パイロットは１２番目の直交周波数分割多重シンボルにそれぞれマッピングされる。
【００３９】
周波数領域では、各組の４個のダウンリンク個別パイロットのうち１番目のダウンリンク個別パイロットは、１、２或いは３番目のサブキャリアにマッピングされ、２〜４番目のダウンリンク個別パイロットは、２個のサブキャリアを順次に間隔しマッピングされる。
【００４０】
以下に詳細を示す。
１番目のダウンリンク個別パイロットを時間領域で５番目の直交周波数分割多重シンボルに、周波数領域でＡ番目のサブキャリアにマッピングし、２番目のダウンリンク個別パイロットを時間領域で５番目の直交周波数分割多重ＯＦＤＭシンボルに、周波数領域でＡ+３番目のサブキャリアにマッピングし、３番目のダウンリンク個別パイロットを時間領域で５番目の直交周波数分割多重ＯＦＤＭシンボルに、周波数領域でＡ+６番目のサブキャリアにマッピングし、４番目のダウンリンク個別パイロットを時間領域で５番目の直交周波数分割多重ＯＦＤＭシンボルに、周波数領域でＡ＋９番目のサブキャリアにマッピングする。そのなか、Ａ=１、２或は３である。
【００４１】
５番目のダウンリンク個別パイロットを時間領域で８番目の直交周波数分割多重シンボルに、周波数領域でＢ番目のサブキャリアにマッピングし、６番目のダウンリンク個別パイロットを時間領域で８番目の直交周波数分割多重ＯＦＤＭシンボルに、周波数領域でＢ+３番目のサブキャリアにマッピングし、７番目のダウンリンク個別パイロットを時間領域で８番目の直交周波数分割多重ＯＦＤＭシンボルに、周波数領域でＢ+６番目のサブキャリアにマッピングし、８番目のダウンリンク個別パイロットを時間領域で８番目直交周波数分割多重ＯＦＤＭシンボルに、周波数領域でＢ+９番目のサブキャリアにマッピングする。そのなか、Ｂ=１、２或は３である。
【００４２】
９番目のダウンリンク個別パイロットを時間領域で１１又は１２番目の直交周波数分割多重シンボルに、周波数領域でＣ番目のサブキャリアにマッピングし、１０番目のダウンリンク個別パイロットを時間領域で１１又は１２番目の直交周波数分割多重ＯＦＤＭシンボルに、周波数領域でＣ+３番目のサブキャリアにマッピングし、１１番目のダウンリンク個別パイロットを時間領域で１１又は１２番目の直交周波数分割多重ＯＦＤＭシンボルに、周波数領域でＣ+６番目のサブキャリアにマッピングし、８番目のダウンリンク個別パイロットを時間領域で１１又は１２番目の直交周波数分割多重ＯＦＤＭシンボルに、周波数領域でＣ+９番目のサブキャリアにマッピングする。そのなか、Ｃ=１、２或は３である。
Ａ、Ｂ、およびＣはそれぞれ、１〜３の範囲で値を取って良い。
【００４３】
また、５、６、７と８番目のダウンリンク個別パイロットを時間領域で９番目の直交周波数分割シンボルにマッピングし、周波数領域へのマッピングを前記の方式と同じにしてもよい。相応に、９、１０、１１と１２番目のダウンリンク個別パイロットを時間領域で１２番目直交周波数分割シンボルにマッピングし、周波数領域へのマッピングを前記の方式と同じにする。
【００４４】
応用時の前記ダウンリンク個別パイロットの設定は、共通パイロットを回避するべきである。
【００４５】
（二）かかるダウンリンク個別パイロットはマルチ・ビームに対応するマルチ・チャネル（一般的には３チャネルを超えない）である場合
各チャネルの初期位置は、時間領域での対応位置が同じであり、５番目の直交周波数分割シンボルにあり、周波数領域での対応位置ずれる（第１チャネルの初期位置の周波数領域での位置を物理リソースブロックの第１列共通パイロットと同じサブキャリアに設定し、他のチャネルをずらさせる）。
【００４６】
前述したステップと設計原則に基づいて、実施例を通じて、更に本発明の方法を説明する。
【００４７】
［例示１］
図３に示すように、Ａ=１、Ｄ=５なので、本発明の例示において、ダウンリンク個別パイロットを時間領域でそれぞれ５番目、８番目及び１１番目のＯＦＤＭシンボルにマッピングする。
【００４８】
前記の内容に基づいて、ステップS２０８で、以下のような他のダウンリンク個別パイロットのマッピング処理を行う。
【００４９】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=３番目のサブキャリアにマッピングし、
６番目のダウンリンク個別パイロットを時間領域で８番目のＯＦＤＭシンボルに、周波数領域でＢ+３=６番目のサブキャリアにマッピングし、
７番目のダウンリンク個別パイロットを時間領域で８番目のＯＦＤＭシンボルに、周波数領域でＢ+６=９番目のサブキャリアにマッピングし、
８番目のダウンリンク個別パイロットを時間領域で８番目のＯＦＤＭシンボルに、周波数領域でＢ+９=１２番目のサブキャリアにマッピングし、
９番目のダウンリンク個別パイロットを時間領域で１１番目のＯＦＤＭシンボルに、周波数領域でＣ=１番目のサブキャリアにマッピングし、
１０番目のダウンリンク個別パイロットを時間領域で１１番目のＯＦＤＭシンボルに、周波数領域でＣ+３=４番目のサブキャリアにマッピングし、
１１番目のダウンリンク個別パイロットを時間領域で１１番目のＯＦＤＭシンボルに、周波数領域でＣ+６=７番目のサブキャリアにマッピングし、
１２番目のダウンリンク個別パイロットを時間領域で１１番目のＯＦＤＭシンボルに、周波数領域でＣ+９=１０番目のサブキャリアにマッピングする。
【００５０】
［例示２］
図４に示すように、Ａ=１、Ｂ=５なので、本発明の例示で、ダウンリンク個別パイロットを時間領域でそれぞれ５番目、８番目、１２番目のＯＦＤＭシンボルにマッピングする。
【００５１】
前記の内容に基づいて、ステップＳ２０８で、以下のような他のダウンリンク個別パイロットのマッピング処理を行う。
【００５２】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＡ=１番目のサブキャリアにマッピングし、
６番目のダウンリンク個別パイロットを時間領域で８番目のＯＦＤＭシンボルに、周波数領域でＡ+３=４番目のサブキャリアにマッピングし、
７番目のダウンリンク個別パイロットを時間領域で８番目のＯＦＤＭシンボルに、周波数領域でＡ+６=７番目のサブキャリアにマッピングし、
８番目のダウンリンク個別パイロットを時間領域で８番目のＯＦＤＭシンボルに、周波数領域で第Ａ+９=１０番目のサブキャリアにマッピングし、
９番目のダウンリンク個別パイロットを時間領域で１２番目のＯＦＤＭシンボルに、周波数領域でＡ=１番目のサブキャリアにマッピングし、
１０番目のダウンリンク個別パイロットを時間領域で１２番目のＯＦＤＭシンボルに、周波数領域でＡ+３=４番目のサブキャリアにマッピングし、
１１番目のダウンリンク個別パイロットを時間領域で１２番目のＯＦＤＭシンボルに、周波数領域でＡ+６=７番目のサブキャリアにマッピングし、
１２番目のダウンリンク個別パイロットを時間領域で１２番目のＯＦＤＭシンボルに、周波数領域でＡ+９=１０番目のサブキャリアにマッピングする。
【００５３】
［例示３］
図５に示すように、Ａ=１、Ｄ=５なので、本発明の例示で、ダウンリンク個別パイロットを時間領域でそれぞれ５番目、９番目、１２番目のＯＦＤＭシンボルにマッピングする。
【００５４】
前記の内容に基づいて、ステップＳ２０８で、以下のような他のダウンリンク個別パイロットのマッピング処理を行う。
【００５５】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で９番目のＯＦＤＭシンボルに、周波数領域でＢ=３番目のサブキャリアにマッピングし、
６番目のダウンリンク個別パイロットを時間領域で９番目のＯＦＤＭシンボルに、周波数領域でＢ+３=６番目のサブキャリアにマッピングし、
７番目のダウンリンク個別パイロットを時間領域で９番目のＯＦＤＭシンボルに、周波数領域でＢ+６=９番目のサブキャリアにマッピングし、
８番目のダウンリンク個別パイロットを時間領域で９番目のＯＦＤＭシンボルに、周波数領域でＢ+９=１２番目のサブキャリアにマッピングし、
９番目のダウンリンク個別パイロットを時間領域で１２番目のＯＦＤＭシンボルに、周波数領域でＣ=１番目のサブキャリアにマッピングし、
１０番目のダウンリンク個別パイロットを時間領域で１２番目のＯＦＤＭシンボルに、周波数領域でＣ+３=４番目のサブキャリアにマッピングし、
１１番目のダウンリンク個別パイロットを時間領域で１２番目のＯＦＤＭシンボルに、周波数領域でＣ+６=７番目のサブキャリアにマッピングし、
１２番目のダウンリンク個別パイロットを時間領域で１２番目のＯＦＤＭシンボルに、周波数領域でＣ+９=１０番目のサブキャリアにマッピングする。
【００５６】
［例示４］
図６に示すように、Ａ=１、Ｄ=５なので、本発明の例示で、ダウンリンク個別パイロットを時間領域でそれぞれ５番目、８番目、１２番目のＯＦＤＭシンボルにマッピングする。
【００５７】
前記の内容に基づいて、ステップＳ２０８で、以下のような他のダウンリンク個別パイロットのマッピング処理を行う。
【００５８】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=３番目のサブキャリアにマッピングし、
６番目のダウンリンク個別パイロットを時間領域で８番目のＯＦＤＭシンボルに、周波数領域でＢ+３=６番目のサブキャリアにマッピングし、
７番目のダウンリンク個別パイロットを時間領域で８番目のＯＦＤＭシンボルに、周波数領域でＢ+６=９番目のサブキャリアにマッピングし、
８番目のダウンリンク個別パイロットを時間領域で８番目のＯＦＤＭシンボルに、周波数領域でＢ+９=１２番目のサブキャリアにマッピングし、
９番目のダウンリンク個別パイロットを時間領域で１２番目のＯＦＤＭシンボルに、周波数領域でＣ=１番目のサブキャリアにマッピングし、
１０番目のダウンリンク個別パイロットを時間領域で１２番目のＯＦＤＭシンボルに、周波数領域でＣ+３=４番目のサブキャリアにマッピングし、
１１番目のダウンリンク個別パイロットを時間領域で１２番目のＯＦＤＭシンボルに、周波数領域でＣ+６=７番目のサブキャリアにマッピングし、
１２番目のダウンリンク個別パイロットを時間領域で１２番目のＯＦＤＭシンボルに、周波数領域でＣ+９=１０番目のサブキャリアにマッピングする。
【００５９】
［例示５］
図７に示すように、Ａ=１、Ｄ=５なので、本発明の例示で、ダウンリンク個別パイロットを時間領域でそれぞれ５番目、８番目、１１番目のＯＦＤＭシンボルにマッピングする。
【００６０】
前記の内容に基づいて、ステップＳ２０８で、以下のような他のダウンリンク個別パイロットのマッピング処理を行う。
【００６１】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=２番目のサブキャリアにマッピングし、
６番目のダウンリンク個別パイロットを時間領域で８番目のＯＦＤＭシンボルに、周波数領域でＢ+３=５番目のサブキャリアにマッピングし、
７番目のダウンリンク個別パイロットを時間領域で８番目のＯＦＤＭシンボルに、周波数領域でＢ+６=８番目のサブキャリアにマッピングし、
８番目のダウンリンク個別パイロットを時間領域で８番目のＯＦＤＭシンボルに、周波数領域でＢ+９=１１番目のサブキャリアにマッピングし、
９番目のダウンリンク個別パイロットを時間領域で１１番目のＯＦＤＭシンボルに、周波数領域でＣ=３番目のサブキャリアにマッピングし、
１０番目のダウンリンク個別パイロットを時間領域で１１番目のＯＦＤＭシンボルに、周波数領域でＣ+３=６番目のサブキャリアにマッピングし、
１１番目のダウンリンク個別パイロットを時間領域で１１番目のＯＦＤＭシンボルに、周波数領域でＣ+６=９番目のサブキャリアにマッピングし、
１２番目のダウンリンク個別パイロットを時間領域で１１番目のＯＦＤＭシンボルに、周波数領域でＣ+９=１２番目のサブキャリアにマッピングする。
【００６２】
［例示６］
図８に示すように、Ａ=１、Ｄ=５なので、本発明の例示で、ダウンリンク個別パイロットを時間領域でそれぞれ５番目、８番目、１１番目のＯＦＤＭシンボルにマッピングする。
【００６３】
前記の内容に基づいて、ステップＳ２０８で、以下のような他のダウンリンク個別パイロットのマッピング処理を行う。
【００６４】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=１番目のサブキャリアにマッピングし、
６番目のダウンリンク個別パイロットを時間領域で８番目のＯＦＤＭシンボルに、周波数領域でＢ+３=４番目のサブキャリアにマッピングし、
７番目のダウンリンク個別パイロットを時間領域で８番目のＯＦＤＭシンボルに、周波数領域でＢ+６=７番目のサブキャリアにマッピングし、
８番目のダウンリンク個別パイロットを時間領域で８番目のＯＦＤＭシンボルに、周波数領域でＢ+９=１０番目のサブキャリアにマッピングし、
９番目のダウンリンク個別パイロットを時間領域で１１番目のＯＦＤＭシンボルに、周波数領域でＣ=１番目のサブキャリアにマッピングし、
１０番目のダウンリンク個別パイロットを時間領域で１１番目のＯＦＤＭシンボルに、周波数領域でＣ+３=４番目のサブキャリアにマッピングし、
１１番目のダウンリンク個別パイロットを時間領域で１１番目のＯＦＤＭシンボルに、周波数領域でＣ+６=７番目のサブキャリアにマッピングし、
１２番目のダウンリンク個別パイロットを時間領域で１１番目のＯＦＤＭシンボルに、周波数領域でＣ+９=１０番目のサブキャリアにマッピングする。
【００６５】
以上の説明から明らかように、本発明では、周波数領域での間隔と時間領域での間隔を予めに設定し、１個目のダウンリンク個別パイロットの位置（周波数領域での開始位置と時間領域での開始位置）を特定し、かつ所定の規則に従うことにより、パイロットシンボルの物理リソースブロックにおける位置が確定できる。
【００６６】
本発明のダウンリンク個別パイロットの構造は、アンテナ数とアンテナ同士間隔が任意であるシングルビーム形成に応用できる。ダウンリンク個別パイロットは、ビームによって区分されるものであり、本発明の実施例がシングルビーム形成に係わるので、本発明の実施例で提供される個別パイロット構造は１チャネルの個別パイロットを含む。当業者にとって、パイロットの密度に応じて、例えば、２個のビームに対して２チャネルの個別パイロットを採用するように、マルチ・ビームに拡張することができる。
【００６７】
以上は本発明の最良な実施例であり、本発明を限定するものではない。当業者にとって、本発明には各種の代替と変更可能することが自明である。本発明の要旨と原則内であれば、全ての修正、同等交替、改善などは本発明の保護範囲内に含まれている。
【図１】
2011504028.tif 000012
【図２】
2011504028.tif 000013
【図３】
2011504028.tif 000014
【図４】
2011504028.tif 000015
【図５】
2011504028.tif 000016
【図６】
2011504028.tif 000017
【図７】
2011504028.tif 000018
【図８】
2011504028.tif 000019
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
長期発展型システムに応用されるエクステンド・サイクリックプレフィックス・フレーム構造のダウンリンク個別パイロットと物理リソースブロックとのマッピング方法であって、
チャネルの１番目のダウンリンク個別パイロットを物理リソースブロックにおいて具体的な位置にマッピングするステップと、
２個或は３個の直交周波数分割多重シンボルを間隔する時間領域での間隔、同一の時間領域において２個のサブキャリアを間隔する周波数領域での間隔、及び所定の規則に従って、チャネルの他のダウンリンク個別パイロットに対してマッピング処理を行うステップと、
を含むことを特徴とするマッピング方法。
【請求項２】
前記所定の規則は、前記物理リソースブロックにおいて、周波数領域で１２個のサブキャリアをマッピングし、同一の時間領域でチャネルの４個のダウンリンク個別パイロットを順次に２個ずつサブキャリアを間隔するようにマッピングする
ことを特徴とする請求項１に記載のマッピング方法。
【請求項３】
前記物理リソースブロックにおいて、前記ダウンリンク個別パイロットを１チャネルだけ発送する
ことを特徴とする請求項１又は請求項２に記載のマッピング方法。
【請求項４】
前記具体的な位置は、時間領域での対応位置を５番目の直交周波数分割多重シンボルに位置させ、周波数領域での対応位置を物理リソースブロックの第１列共通パイロットと同じサブキャリアに位置させる
ことを特徴とする請求項３に記載のマッピング方法。
【請求項５】
前記物理リソースブロックは、周波数領域で１２個のサブキャリアを含み、時間領域で１２個の直交周波数分割多重シンボルを含み、
１番目のダウンリンク個別パイロットを時間領域で５番目の直交周波数分割多重シンボルに、周波数領域でＡ番目のサブキャリアにマッピングし、２番目のダウンリンク個別パイロットを時間領域で５番目の直交周波数分割多重シンボルに、周波数領域でＡ＋３番目のサブキャリアにマッピングし、３番目のダウンリンク個別パイロットを時間領域で５番目の直交周波数分割多重シンボルに、周波数領域でＡ＋６番目のサブキャリアにマッピングし、４番目のダウンリンク個別パイロットを時間領域で５番目の直交周波数分割多重シンボルに、周波数領域でＡ＋９番目のサブキャリアにマッピングし、
５番目のダウンリンク個別パイロットを時間領域で８番目の直交周波数分割多重シンボルに、周波数領域でＢ番目のサブキャリアにマッピングし、６番目のダウンリンク個別パイロットを時間領域で８番目の直交周波数分割多重シンボルに、周波数領域でＢ+３番目のサブキャリアにマッピングし、７番目のダウンリンク個別パイロットを時間領域で８番目の直交周波数分割多重シンボルに、周波数領域でＢ+６番目のサブキャリアにマッピングし、８番目のダウンリンク個別パイロットを時間領域で８番目の直交周波数分割多重シンボルに、周波数領域でＢ+９番目のサブキャリアにマッピングし、
９番目のダウンリンク個別パイロットを時間領域で１２番目の直交周波数分割多重シンボルに、周波数領域でＣ番目のサブキャリアにマッピングし、１０番目のダウンリンク個別パイロットを時間領域で１２番目の直交周波数分割多重シンボルに、周波数領域でＣ＋３番目のサブキャリアにマッピングし、１１番目のダウンリンク個別パイロットを時間領域で１２番目の直交周波数分割多重シンボルに、周波数領域でＣ＋６番目のサブキャリアにマッピングし、１２番目のダウンリンク個別パイロットを時間領域で１２番目の直交周波数分割多重シンボルに、周波数領域でＣ＋９番目のサブキャリアにマッピングし、
そのなか、Ｂ、Ｃ=１或は２或は３である
ことを特徴とする請求項３に記載のマッピング方法。
【請求項６】
前記物理リソースブロックにおいて、前記ダウンリンク個別パイロットがマルチ・チャネルであり、各チャネルのダウンリンク個別パイロットの前記物理リソースブロックにマッピングされる具体的な位置は、時間領域での対応位置を全て前記物理リソースブロックの５番目の直交周波数分割多重シンボルに位置させ、周波数領域での対応位置を相互にずらさせる
ことを特徴とする請求項１又は請求項２に記載のマッピング方法。
【請求項７】
前記物理リソースブロックは、周波数領域で１２個のサブキャリアを含み、時間領域で１２個の直交周波数分割多重シンボルを含み、
チャネルの１２個のダウンリンク個別パイロットを３組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを８番目の直交周波数分割多重シンボルに、第３組のダウンリンク個別パイロットを１１或は１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを順次に２個ずつサブキャリアを間隔するようにマッピングする
ことを特徴する請求項３に記載のマッピング方法。
【請求項８】
前記物理リソースブロックは、周波数領域で１２個のサブキャリアを含み、時間領域で１２個の直交周波数分割多重シンボルを含み、
チャネルの１２個のダウンリンク個別パイロットを３組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを９番目の直交周波数分割多重シンボルに、第３組のダウンリンク個別パイロットを１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを順次に２個ずつサブキャリアを間隔するようにマッピングする
ことを特徴する請求項３に記載のマッピング方法。
【請求項９】
１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に１、４、７、１０番目、或は３、６、９、１２番目のサブキャリアにマッピングし、
９、１０、１１、１２番目のダウンリンク個別パイロットを、時間領域で全て１１又は１２番目の直交周波数分割多重シンボルにマッピングし、周波数領域で順次に１、４、７、１０番目のサブキャリアにマッピングする
ことを特徴とする請求項７に記載のマッピング方法。
【請求項１０】
１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に２、５、８、１１番目のサブキャリアにマッピングし、
９、１０、１１、１２番目のダウンリンク個別パイロットを、時間領域で全て１１又は１２番目の直交周波数分割多重シンボルに、周波数領域で順次に３、６、９、１２番目のサブキャリアにマッピングする
ことを特徴とする請求項７に記載のマッピング方法。
【請求項１１】
１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て９番目の直交周波数分割多重シンボルに、周波数領域で順次に３、６、９、１２番目のサブキャリアにマッピングし、
９、１０、１１、１２番目のダウンリンク個別パイロットを、時間領域で全て１２番目の直交周波数分割多重シンボルに、周波数領域で順次に１、４、７、１０番目のサブキャリアにマッピングする
ことを特徴とする請求項８に記載のマッピング方法。
【手続補正２】
【補正対象書類名】明細書
【補正対象項目名】全文
【補正方法】変更
【補正の内容】
【発明の詳細な説明】
【技術分野】
【０００１】
本発明は無線通信の技術分野に関り、具体的に長期発展型システム（Long term evolution、ＬＴＥと略称される）におけるエクステンド・サイクリックプレフィックス（Extend Cyclic Prefix、Extend ＣＰと略称される）・フレーム構造のダウンリンク個別パイロットと物理リソースブロックとのマッピング方法に関る。
【背景技術】
【０００２】
ＬＴＥ（Long term evolution、即ち、長期発展型システム）規格の現在のバージョンである３ＧＰＰ（３rd Generation partnership project、即ち、第三代提携パートナー計画） ＴＳ３６.２１１では、シングル・フローのビーム形成(Beam forming)技術が規定されている。ＬＴＥ規格の現在のバージョンでは４チャネルの共通パイロットだけが定義されているが、伝統的なビーム形成が６本以上の発射アンテナにより行われることが多くて、実際に各アンテナ・ポート毎にチャネル情報が４チャネルの共通パイロットうちの対応する共通パイロットにより抽出されるので、全てのアンテナの真実なチャネル情報を取得できない。
【０００３】
６〜８本のアンテナ・ポートに対して共通パイロットを挿入するように共通パイロット数を増加すると、パイロット・オーバヘッドは非常に大きくなり、且つアップリンク/ダウンリンクにおいて推定された真実なチャネル情報にも差異があるので、真実なチャネル情報を推定するために、ビーム形成の重み値のフィードバック情報も必要がある。
【発明の開示】
【０００４】
基地局で４本以上のアンテナでビーム形成を行う場合に、共通パイロットにより全てのチャネル情報を取得できなく、ビーム形成重み値のフィードバックオーバヘッドが存在する問題に鑑みて、本発明はエクステンド・サイクリックプレフィックス・フレーム構造のダウンリンク個別パイロットと物理リソースブロックとのマッピング方法を提供し、小さいオーバヘッドでかつ優れい性能でビーム形成を行うことができる。
【０００５】
前記の技術問題を解決するために、本発明の長期発展型システムに応用されるエクステンド・サイクリックプレフィックス・フレーム構造のダウンリンク個別パイロットと物理リソースブロックとのマッピング方法は、
チャネルの１番目のダウンリンク個別パイロットを物理リソースブロックの具体的な位置にマッピングするステップと、
２個或は３個の直交周波数分割多重シンボルを間隔する時間領域での間隔、同一の時間領域において２個のサブキャリアを間隔する周波数領域での間隔、及び所定の規則に従って、チャネルの他のダウンリンク個別パイロットに対してマッピング処理を行うステップを含む。
【０００６】
更に、所定の規則は、物理リソースブロックにおいて、周波数領域で１２個のサブキャリアをマッピングし、同一の時間領域でチャネルの４個のダウンリンク個別パイロットを順次に２個のサブキャリアを間隔するようにマッピングする。
【０００７】
更に、物理リソースロックにおいて、ダウンリンク個別パイロットを１チャネルだけ発送する。
【０００８】
更に、具体的な位置は、時間領域での対応位置を５番目の直交周波数分割多重シンボルに位置させ、周波数領域での対応位置を物理リソースブロックにおける第１列の共通パイロットのサブキャリアと同じにする。
【０００９】
更に、物理リソースブロックは、周波数領域で１２個のサブキャリアを含み、時間領域で１２個の直交周波数分割多重シンボルを含み、
１番目のダウンリンク個別パイロットを時間領域で５番目の直交周波数分割多重シンボルに、周波数領域でＡ番目のサブキャリアにマッピングし、２番目のダウンリンク個別パイロットを時間領域で５番目の直交周波数分割多重シンボルに、周波数領域でＡ＋３番目のサブキャリアにマッピングし、３番目のダウンリンク個別パイロットを時間領域で５番目の直交周波数分割多重シンボルに、周波数領域でＡ＋６番目のサブキャリアにマッピングし、４番目のダウンリンク個別パイロットを時間領域で５番目の直交周波数分割多重シンボルに、周波数領域でＡ＋９番目のサブキャリアにマッピングし、
５番目のダウンリンク個別パイロットを時間領域で８番目の直交周波数分割多重シンボルに、周波数領域でＢ番目のサブキャリアにマッピングし、６番目のダウンリンク個別パイロットを時間領域で８番目の直交周波数分割多重シンボルに、周波数領域でＢ+３番目のサブキャリアにマッピングし、７番目のダウンリンク個別パイロットを時間領域で８番目の直交周波数分割多重シンボルに、周波数領域でＢ+６番目のサブキャリアにマッピングし、８番目のダウンリンク個別パイロットを時間領域で８番目の直交周波数分割多重シンボルに、周波数領域でＢ+９番目のサブキャリアにマッピングし、
９番目のダウンリンク個別パイロットを時間領域で１２番目の直交周波数分割多重シンボルに、周波数領域でＣ番目のサブキャリアにマッピングし、１０番目のダウンリンク個別パイロットを時間領域で１２番目の直交周波数分割多重シンボルに、周波数領域でＣ＋３番目のサブキャリアにマッピングし、１１番目のダウンリンク個別パイロットを時間領域で１２番目の直交周波数分割多重シンボルに、周波数領域でＣ＋６番目のサブキャリアにマッピングし、１２番目のダウンリンク個別パイロットを時間領域で１２番目の直交周波数分割多重シンボルに、周波数領域でＣ＋９番目のサブキャリアにマッピングし、
そのなか、Ｂ、Ｃ=１或は２或は３である。
【００１０】
更に、物理リソースブロックにおいて、ダウンリンク個別パイロットはマルチ・チャネルであり、チャネルのダウンリンク個別パイロットの物理リソースブロックにマッピングされる具体的な位置は、時間領域での対応位置を全て物理リソースブロックの５番目の直交周波数分割多重シンボルに位置させ、周波数領域での対応位置を相互にずらさせる。
【００１１】
更に、物理リソースブロックは、周波数領域で１２個のサブキャリアを含み、時間領域で１２個の直交周波数分割多重シンボルを含んで、
チャネルの１２個のダウンリンク個別パイロットを３組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを８番目の直交周波数分割多重シンボルに、第３組のダウンリンク個別パイロットを１１或は１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを２個ずつサブキャリアを順次に間隔するようにマッピングする。
【００１２】
更に、物理リソースブロックは、周波数領域で１２個のサブキャリアを含み、時間領域で１２個の直交周波数分割多重シンボルを含み、
チャネルの１２個のダウンリンク個別パイロットを３組に分け、各組には同一の直交周波数分割多重シンボルにある４個のダウンリンク個別パイロットを含み、
時間領域では、第１組のダウンリンク個別パイロットを５番目の直交周波数分割多重シンボルに、第２組のダウンリンク個別パイロットを９番目の直交周波数分割多重シンボルに、第３組のダウンリンク個別パイロットを１２番目の直交周波数分割多重シンボルにそれぞれマッピングし、
周波数領域では、各組の４個のダウンリンク個別パイロットのうちの１番目のダウンリンク個別パイロットを１、２或は３番目のサブキャリアにマッピングし、２〜４番目のダウンリンク個別パイロットを、２個ずつサブキャリアを順次に間隔するようにマッピングする。
【００１３】
更に、１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に１、４、７、１０番目、或は３、６、９、１２番目のサブキャリアにマッピングし、
９、１０、１１、１２番目のダウンリンク個別パイロットを、時間領域で全て１１或は１２番目の直交周波数分割多重シンボルに、周波数領域で順次に１、４、７、１０番目のサブキャリアにマッピングする。
【００１４】
更に、１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て８番目の直交周波数分割多重シンボルに、周波数領域で順次に２、５、８、１１番目のサブキャリアにマッピングし、
９、１０、１１、１２番目のダウンリンク個別パイロットを、時間領域で全て１１或は１２番目の直交周波数分割多重シンボルに、周波数領域で順次に３、６、９、１２番目のサブキャリアにマッピングする。
【００１５】
更に、１、２、３、４番目のダウンリンク個別パイロットを、時間領域で全て５番目の直交周波数分割多重シンボルに、周波数領域で順次に１、４、７、１０番目のサブキャリアにマッピングし、
５、６、７、８番目のダウンリンク個別パイロットを、時間領域で全て９番目の直交周波数分割多重シンボルに、周波数領域で順次に３、６、９、１２番目のサブキャリアにマッピングし、
９、１０、１１、１２番目のダウンリンク個別パイロットを、時間領域で全て１２番目の直交周波数分割多重シンボルに、周波数領域で順次に１、４、７、１０番目のサブキャリアにマッピングする。
【００１６】
以上をまとめると、本発明は下記の有益な効果を実現することができる。
(１) パイロットシンボルの物理リソースブロックにおける位置を特定することにより、基地局で４本以上のアンテナによりビーム形成を行う場合に、ＬＴＥ規格の現在のバージョンで共通パイロットにより全部のチャネル情報を取得できない問題を解決した。
(２) 個別パイロットにより獲得されたチャネル情報に真実なチャネルの情報とビーム形成の重み値を含まさせることにより、ＵＥによるビーム形成の発射重み値の取得が必要なく、ビーム形成重み値のフィードバックオーバヘッドを回避することができる。
(３)また、従来の個別パイロットのマッピング方法に比べて、本発明は時間領域での最初位置の設計がより適切であり、同じパイロットオーバヘッドの場合に性能がより優れくなる。
(４)個別パイロットの周波数領域での最初位置は共通パイロットと相隣するので、チャネル情報の抽出位置と応用位置とを一致させ、積算誤差を減少させる。
(５)個別パイロットの時間領域および周波数領域での分布は非常に均等なので、チャネル推定の品質が確保される。
【図面の簡単な説明】
【００１７】
次に、本発明について、図面と具体的な実施例を参照しながら更なる詳細な説明を行う。
【図１】は３ＧＰＰ ＴＲ ３６.２１１では規定されたエクステンド・サイクリックプレフィックス・フレーム構造において前の２チャネルを共通パイロットとして採用された物理リソースブロックを模式的に示す図であり、
【数１】
2011504028.tif 000020
：アンテナ・ポート０から発送される共通パイロットを表し、
【数２】
2011504028.tif 000021
：アンテナ・ポート１から発送される共通パイロットを表し、
【数３】
2011504028.tif 000022
：アンテナ・ポート２から発送される共通パイロットを表し、
【数４】
2011504028.tif 000023
：アンテナ・ポート３から発送される共通パイロットを表し、
【数５】
2011504028.tif 000024
：リソースエレメントを表す。
【図２】は本発明の方法による実施例のダウンリンク個別パイロットと物理リソースブロックとのマッチング方法のフローチャートである。
【図３】は図２に示す方法の例示一を模式的に示す図である。
【図４】は図２に示す方法の例示二を模式的に示す図である。
【図５】は図２に示す方法の例示三を模式的に示す図である。
【図６】は図２に示す方法の例示四を模式的に示す図である。
【図７】は図２に示す方法の例示五を模式的に示す図である。
【図８】は図２に示す方法の例示六を模式的に示す図である。  図３〜図８では、
【数６】
2011504028.tif 000025
はダウンリンク個別パイロットを表し、
【数７】
2011504028.tif 000026
はリソースエレメントを表す。
【発明を実施するための最良の形態】
【００１８】
ＬＴＥ規格の現在のバージョンでは、基地局で４本以上のアンテナによりビーム形成を行う場合に、共通パイロットはすべてのチャネル情報が取得できなく、ビーム形成重み値のフィードバックによるオーバヘッドなどの問題が存在している。ビーム形成用ダウンリンク個別パイロットは、マルチ・アンテナの重み付き処理により、複数の発射アンテナを１本のアンテナ・ポートに合成し、即ち、１チャネルのダウンリンク個別パイロットにより全ての発射アンテナのチャネル情報が推定できるだけでなく、マルチ・アンテナの重み付き処理されたチャネル情報が推定できる。これを考えると、ダウンリンク個別パイロットの採用はオーバヘッドの低減、性能の提高に有利である。
【００１９】
本発明は物理リソースブロックにおけるパイロットシンボルの位置を特定することにより、即ち、ダウンリンク個別パイロットのＬＴＥシステムにおけるエクステンド・サイクリックプレフィックス・フレーム構造から発送される位置と、時間領域での間隔と、周波数領域での間隔とを定義することにより、ダウンリンク個別パイロットがＬＴＥシステムで動作するための基礎を提供している。このように、ＬＴＥの現在のバージョンで本発明の実施例による個別パイロットに対する設計を使用すれば、小さいオーバヘッドと優れい性能でビーム形成を行うことができる。前記のエクステンド・サイクリックプレフィックス・フレーム構造とは、ＲＢ(Resource Ｂlock、ＲＢと略称される)において周波数領域で１２個のサブキャリアを含み、時間領域で１２個のＯＦＤＭシンボルを含むことを指す。
【００２０】
また、ＬＴＥ規格第５２回会議でノーマル・サイクリックプレフィックス（Normal Cyclic Prefix、Normal  ＣＰと略称される）・フレーム構造のダウンリンク個別パイロットと物理リソースブロックとのマッピング方法が定義されている。この会議の結論に基づいて、本発明のオーバヘッドが小さく、性能が優れいエクステンド・サイクリックプレフィックス・フレーム構造のダウンリンク個別パイロットと物理リソースブロックとのマッピング方法を提案する。
【００２１】
ＬＴＥ規格第５２回会議で定義されたノーマル・サイクリックプレフィックス・フレーム構造におけるダウンリンク個別パイロットと物理リソースブロックとのマッピング方法に基づいて、ビーム形成用ダウンリンク個別パイロットを採用する場合に、チャネルの検出を全方向的に制御するための４チャネルの共通パイロットを挿入する。４チャネルの共通パイロットと最小の物理リソースブロックとのマッピング関係は図１に示す。図１にはアンテナ・ポート０〜３のそれぞれから転送される共通パイロット及びリソースエレメントを示す。
【００２２】
図面を参照しながら本発明の最良な実施の形態について説明する。ここで記述する最良な実施例が本発明を説明、解釈するものだけであり、本発明を限定するものではないことを理解すべきである。
【００２３】
図２は本発明のエクステンド・サイクリックプレフィックス・フレーム構造のダウンリンク個別パイロットと物理リソースブロックとのマッピング方法を示す。この方法は、
・ステップＳ２０２：同一の時間領域にマッピングするダウンリンク個別パイロットに周波数領域で順次に２個のサブキャリアを間隔させる周波数領域での間隔の設定処理と、
・ステップＳ２０４：異なる時間領域にマッピングするダウンリンク個別パイロットに時間領域で順次に２個又は３個のＯＦＤＭシンボルを間隔させる時間領域での間隔の設定処理と、
・ステップＳ２０６：１番目のダウンリンク個別パイロットを、物理リソースブロックにおいて周波数領域での初期位置を示すＡ及び時間領域での初期位置を示すＤで表す初期位置と呼ばれる具体的な位置にマッピングする初期マッピング処理と、
・ステップＳ２０８：１番目のダウンリンク個別パイロットの初期位置、周波数領域での間隔、時間領域での間隔、及び所定の規則に基づいて、他のダウンリンク個別パイロットに対するマッピング処理とを含む。
【００２４】
前記所定の規則は、前記物理リソースブロックにおいて、周波数領域で１２個のサブキャリアをマッピングし、同一の時間領域でチャネルの４個のダウンリンク個別パイロットを順次に２個のサブキャリアを間隔するようにマッピングする。マルチ・チャンネルのダウンリンク個別パイロットの場合、各チャネルに同じ方法で処理すれば良い。
【００２５】
以下前記の各ステップについて詳細に説明する。
・ステップＳ２０２：周波数領域での間隔の設定処理（或は周波数領域での密度の設定処理と称される）
本発明は、１個のＲＢにおいて、ビーム形成用ダウンリンク個別パイロットに周波数領域で順次に２個のサブキャリアを間隔させ、複数のＲＢを一括に発送する場合に、個別パイロットの周波数領域での密度がいずれも２個のサブキャリアを間隔するように均等な分布を保持させることが特定される。
【００２６】
個別パイロットシンボルの周波数領域に挿入される密度は、干渉帯域幅によるものであり、推定されたチャネルの歪みを避けるためにその最低限がナイキストのサンプリング定理によって決定される。長いＰＣのフレーム構造は、カバー範囲が広いシーンに使用され、チャネルの周波数選択性フェージングがより顕著になる。チャネル推定性能を更に確保するために、パイロットシンボル数をサンプリング定理によるパイロットシンボル数の４倍とすると、パイロットの周波数領域での間隔Ｓｆは式(１)のように表される。
【数８】
2011504028.tif 000027
式(１)では、Δｆはサブキャリアの間隔であり、 はチャネルの最大時間遅延である（これらのパラメーターは３ＧＰＰＴＲ２５．９９６を参照）。従って、周波数領域で２個のサブキャリアを間隔させる個別パイロットの設計はチャネル推定の要求を充分的に満たすことができる。
【００２７】
・ステップＳ２０４：時間領域での間隔の設定処理（或は時間領域での密度の設定処理と称される）
時間領域に挿入されるパイロットシンボルの密度は、干渉時間によるものであり、推定されたチャネルの歪みを避けるためにその最低限がナイキストのサンプリング定理によって決定される。チャネル推定性能を更に確保するために、パイロットシンボル数をサンプリング定理によるパイロットシンボル数の２倍とすると、パイロットの時間領域での間隔Ｓｔは式（２）のように表される。
【数９】
2011504028.tif 000028
式(２)では、fdは最大ドップラー周波数シフトであり、LTEではUEの最大移動速度が３５０km/hに規定されているので、ここで、fd＝６４８Ｈzである。Tfは１個のＯＦＤＭシンボルの時間である。ダウンリンク個別パイロットに２〜３個のＯＦＤＭシンボルを間隔させることにより、高速のチャネル推定の要求を満たすことができる。
【００２８】
前記のように時間領域での間隔および周波数領域での間隔の設定処理により、個別パイロットの時間領域および周波数領域での分布が非常に均等になり、チャネル推定の品質を確保することができる。
【００２９】
・ステップＳ２０６：初期マッピング処理
このステップでは、Ｄを時間領域での初期位置に設定し、Ａを最小の物理リソースブロックのＯＦＤＭシンボルにマッピングされた１番目の共通パイロットが所在のサブキャリアの位置と同じように設定し、即ち、Ａはリソースブロックの第１列共通パイロットと同じ位置にあるサブキャリアである。
【００３０】
好ましく、Ａ=１、Ｄ=５、即ち、１番目のダウンリンク個別パイロットのマッピングされる位置は、周波数領域での開始位置を１番目のサブキャリアにし、時間領域での位置を５番目ＯＦＤＭシンボルにする。このように個別パイロットの時間領域での開始位置を設定する本発明は、従来の個別パイロットのマッピング方法に比べて、より適切で、同じパイロット・オーバヘッドの場合、性能がより優れい。
【００３１】
(１)周波数領域での開始位置
１行目ビーム形成用ダウンリンク個別パイロットを周波数領域で１番目のサブキャリアから開始させ、個別パイロットと共通パイロットとの周波数領域での開始位置を同じさせることにより、ビーム形成重み値がアップリンク或はダウンリンク共通パイロットにより真実なチャネルを推定することにより獲得された後、相隣位置のパイロットに使用されることで、より正確にチャネル情報を復調することができる。
【００３２】
(２)時間領域での開始位置
ダウンリンク個別パイロットの時間領域での開始位置を５番目ＯＦＤＭシンボルに設定することにより、個別パイロットの物理リスースブロックにおける均等分布を確保し、より優れいチャネル推定性能を実現することができる。
【００３３】
・ステップＳ２０８：このステップで、同一の時間領域に４個のダウンリンク個別パイロットをマッピングする。
【００３４】
個別パイロットと共通パイロットは周波数領域での位置が同じであることは、チャネル推定補間の性能の提高に有利であり、且つビーム形成の過程にわたってチャネル情報の抽出位置と応用位置とを一致させ、積算誤差を低減させる。
【００３５】
（一）前記の方法によければ、かかるダウンリンク個別パイロットは１チャネル（シングルビームに対応する）である場合
初期位置は、時間領域での対応位置が５番目ＯＦＤＭシンボルであり、周波数領域での位置が物理リソースブロックの第１列共通パイロットと同じサブキャリアに設定される。
【００３６】
かかる物理リソースブロックは、周波数領域で１２個のサブキャリア、即ち、１〜１２番目のサブキャリアを含み、時間領域で１２個の直交周波数分割多重シンボル、即ち１〜１２番目の直交周波数分割多重シンボルを含む。
【００３７】
１チャネルの１２個のダウンリンク個別パイロットを３組に分け、各組に同一の直交周波数分割多重シンボルにある４個のダウンリンク個別パイロットを含む。
【００３８】
時間領域では、第１組のダウンリンク個別パイロットは５番目の直交周波数分割多重シンボルに、第２組のダウンリンク個別パイロットは８番目の直交周波数分割多重シンボルに、第３組のダウンリンク個別パイロットは１１又は１２番目の直交周波数分割多重シンボルにそれぞれマッピングされ、或は、第１組のダウンリンク個別パイロットは５番目の直交周波数分割多重シンボルに、第２組のダウンリンク個別パイロットは９番目の直交周波数分割多重シンボルに、第３組のダウンリンク個別パイロットは１２番目の直交周波数分割多重シンボルにそれぞれマッピングされる。
【００３９】
周波数領域では、各組の４個のダウンリンク個別パイロットのうち１番目のダウンリンク個別パイロットは、１、２或いは３番目のサブキャリアにマッピングされ、２〜４番目のダウンリンク個別パイロットは、２個のサブキャリアを順次に間隔しマッピングされる。
【００４０】
以下に詳細を示す。
１番目のダウンリンク個別パイロットを時間領域で５番目の直交周波数分割多重シンボルに、周波数領域でＡ番目のサブキャリアにマッピングし、２番目のダウンリンク個別パイロットを時間領域で５番目の直交周波数分割多重ＯＦＤＭシンボルに、周波数領域でＡ+３番目のサブキャリアにマッピングし、３番目のダウンリンク個別パイロットを時間領域で５番目の直交周波数分割多重ＯＦＤＭシンボルに、周波数領域でＡ+６番目のサブキャリアにマッピングし、４番目のダウンリンク個別パイロットを時間領域で５番目の直交周波数分割多重ＯＦＤＭシンボルに、周波数領域でＡ＋９番目のサブキャリアにマッピングする。そのなか、Ａ=１、２或は３である。
【００４１】
５番目のダウンリンク個別パイロットを時間領域で８番目の直交周波数分割多重シンボルに、周波数領域でＢ番目のサブキャリアにマッピングし、６番目のダウンリンク個別パイロットを時間領域で８番目の直交周波数分割多重ＯＦＤＭシンボルに、周波数領域でＢ+３番目のサブキャリアにマッピングし、７番目のダウンリンク個別パイロットを時間領域で８番目の直交周波数分割多重ＯＦＤＭシンボルに、周波数領域でＢ+６番目のサブキャリアにマッピングし、８番目のダウンリンク個別パイロットを時間領域で８番目直交周波数分割多重ＯＦＤＭシンボルに、周波数領域でＢ+９番目のサブキャリアにマッピングする。そのなか、Ｂ=１、２或は３である。
【００４２】
９番目のダウンリンク個別パイロットを時間領域で１１又は１２番目の直交周波数分割多重シンボルに、周波数領域でＣ番目のサブキャリアにマッピングし、１０番目のダウンリンク個別パイロットを時間領域で１１又は１２番目の直交周波数分割多重ＯＦＤＭシンボルに、周波数領域でＣ+３番目のサブキャリアにマッピングし、１１番目のダウンリンク個別パイロットを時間領域で１１又は１２番目の直交周波数分割多重ＯＦＤＭシンボルに、周波数領域でＣ+６番目のサブキャリアにマッピングし、１２番目のダウンリンク個別パイロットを時間領域で１１又は１２番目の直交周波数分割多重ＯＦＤＭシンボルに、周波数領域でＣ+９番目のサブキャリアにマッピングする。そのなか、Ｃ=１、２或は３である。
Ａ、ＢとＣはそれぞれ、１〜３の範囲で値を取って良い。
【００４３】
また、５、６、７と８番目のダウンリンク個別パイロットを時間領域で９番目の直交周波数分割シンボルにマッピングし、周波数領域へのマッピングを前記の方式と同じにしてもよい。相応に、９、１０、１１と１２番目のダウンリンク個別パイロットを時間領域で１２番目直交周波数分割シンボルにマッピングし、周波数領域へのマッピングを前記の方式と同じにする。
【００４４】
応用時の前記ダウンリンク個別パイロットの設定は、共通パイロットを回避するべきである。
【００４５】
（二）かかるダウンリンク個別パイロットはマルチ・ビームに対応するマルチ・チャネル（一般的には３チャネルを超えない）である場合
各チャネルの初期位置は、時間領域での対応位置が同じであり、５番目の直交周波数分割シンボルにあり、周波数領域での対応位置ずれる（第１チャネルの初期位置の周波数領域での位置を物理リソースブロックの第１列共通パイロットと同じサブキャリアに設定し、他のチャネルをずらさせる）。
【００４６】
前述したステップと設計原則に基づいて、実施例を通じて、更に本発明の方法を説明する。
【００４７】
［例示１］
図３に示すように、Ａ=１、Ｄ=５なので、本発明の例示において、ダウンリンク個別パイロットを時間領域でそれぞれ５番目、８番目及び１１番目のＯＦＤＭシンボルにマッピングする。
【００４８】
前記の内容に基づいて、ステップS２０８で、以下のような他のダウンリンク個別パイロットのマッピング処理を行う。
【００４９】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=３番目のサブキャリアにマッピングし、
６番目のダウンリンク個別パイロットを時間領域で８番目のＯＦＤＭシンボルに、周波数領域でＢ+３=６番目のサブキャリアにマッピングし、
７番目のダウンリンク個別パイロットを時間領域で８番目のＯＦＤＭシンボルに、周波数領域でＢ+６=９番目のサブキャリアにマッピングし、
８番目のダウンリンク個別パイロットを時間領域で８番目のＯＦＤＭシンボルに、周波数領域でＢ+９=１２番目のサブキャリアにマッピングし、
９番目のダウンリンク個別パイロットを時間領域で１１番目のＯＦＤＭシンボルに、周波数領域でＣ=１番目のサブキャリアにマッピングし、
１０番目のダウンリンク個別パイロットを時間領域で１１番目のＯＦＤＭシンボルに、周波数領域でＣ+３=４番目のサブキャリアにマッピングし、
１１番目のダウンリンク個別パイロットを時間領域で１１番目のＯＦＤＭシンボルに、周波数領域でＣ+６=７番目のサブキャリアにマッピングし、
１２番目のダウンリンク個別パイロットを時間領域で１１番目のＯＦＤＭシンボルに、周波数領域でＣ+９=１０番目のサブキャリアにマッピングする。
【００５０】
［例示２］
図４に示すように、Ａ=１、Ｂ=５なので、本発明の例示で、ダウンリンク個別パイロットを時間領域でそれぞれ５番目、８番目、１２番目のＯＦＤＭシンボルにマッピングする。
【００５１】
前記の内容に基づいて、ステップＳ２０８で、以下のような他のダウンリンク個別パイロットのマッピング処理を行う。
【００５２】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＡ=１番目のサブキャリアにマッピングし、
６番目のダウンリンク個別パイロットを時間領域で８番目のＯＦＤＭシンボルに、周波数領域でＡ+３=４番目のサブキャリアにマッピングし、
７番目のダウンリンク個別パイロットを時間領域で８番目のＯＦＤＭシンボルに、周波数領域でＡ+６=７番目のサブキャリアにマッピングし、
８番目のダウンリンク個別パイロットを時間領域で８番目のＯＦＤＭシンボルに、周波数領域で第Ａ+９=１０番目のサブキャリアにマッピングし、
９番目のダウンリンク個別パイロットを時間領域で１２番目のＯＦＤＭシンボルに、周波数領域でＡ=１番目のサブキャリアにマッピングし、
１０番目のダウンリンク個別パイロットを時間領域で１２番目のＯＦＤＭシンボルに、周波数領域でＡ+３=４番目のサブキャリアにマッピングし、
１１番目のダウンリンク個別パイロットを時間領域で１２番目のＯＦＤＭシンボルに、周波数領域でＡ+６=７番目のサブキャリアにマッピングし、
１２番目のダウンリンク個別パイロットを時間領域で１２番目のＯＦＤＭシンボルに、周波数領域でＡ+９=１０番目のサブキャリアにマッピングする。
【００５３】
［例示３］
図５に示すように、Ａ=１、Ｄ=５なので、本発明の例示で、ダウンリンク個別パイロットを時間領域でそれぞれ５番目、９番目、１２番目のＯＦＤＭシンボルにマッピングする。
【００５４】
前記の内容に基づいて、ステップＳ２０８で、以下のような他のダウンリンク個別パイロットのマッピング処理を行う。
【００５５】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で９番目のＯＦＤＭシンボルに、周波数領域でＢ=３番目のサブキャリアにマッピングし、
６番目のダウンリンク個別パイロットを時間領域で９番目のＯＦＤＭシンボルに、周波数領域でＢ+３=６番目のサブキャリアにマッピングし、
７番目のダウンリンク個別パイロットを時間領域で９番目のＯＦＤＭシンボルに、周波数領域でＢ+６=９番目のサブキャリアにマッピングし、
８番目のダウンリンク個別パイロットを時間領域で９番目のＯＦＤＭシンボルに、周波数領域でＢ+９=１２番目のサブキャリアにマッピングし、
９番目のダウンリンク個別パイロットを時間領域で１２番目のＯＦＤＭシンボルに、周波数領域でＣ=１番目のサブキャリアにマッピングし、
１０番目のダウンリンク個別パイロットを時間領域で１２番目のＯＦＤＭシンボルに、周波数領域でＣ+３=４番目のサブキャリアにマッピングし、
１１番目のダウンリンク個別パイロットを時間領域で１２番目のＯＦＤＭシンボルに、周波数領域でＣ+６=７番目のサブキャリアにマッピングし、
１２番目のダウンリンク個別パイロットを時間領域で１２番目のＯＦＤＭシンボルに、周波数領域でＣ+９=１０番目のサブキャリアにマッピングする。
【００５６】
［例示４］
図６に示すように、Ａ=１、Ｄ=５なので、本発明の例示で、ダウンリンク個別パイロットを時間領域でそれぞれ５番目、８番目、１２番目のＯＦＤＭシンボルにマッピングする。
【００５７】
前記の内容に基づいて、ステップＳ２０８で、以下のような他のダウンリンク個別パイロットのマッピング処理を行う。
【００５８】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=３番目のサブキャリアにマッピングし、
６番目のダウンリンク個別パイロットを時間領域で８番目のＯＦＤＭシンボルに、周波数領域でＢ+３=６番目のサブキャリアにマッピングし、
７番目のダウンリンク個別パイロットを時間領域で８番目のＯＦＤＭシンボルに、周波数領域でＢ+６=９番目のサブキャリアにマッピングし、
８番目のダウンリンク個別パイロットを時間領域で８番目のＯＦＤＭシンボルに、周波数領域でＢ+９=１２番目のサブキャリアにマッピングし、
９番目のダウンリンク個別パイロットを時間領域で１２番目のＯＦＤＭシンボルに、周波数領域でＣ=１番目のサブキャリアにマッピングし、
１０番目のダウンリンク個別パイロットを時間領域で１２番目のＯＦＤＭシンボルに、周波数領域でＣ+３=４番目のサブキャリアにマッピングし、
１１番目のダウンリンク個別パイロットを時間領域で１２番目のＯＦＤＭシンボルに、周波数領域でＣ+６=７番目のサブキャリアにマッピングし、
１２番目のダウンリンク個別パイロットを時間領域で１２番目のＯＦＤＭシンボルに、周波数領域でＣ+９=１０番目のサブキャリアにマッピングする。
【００５９】
［例示５］
図７に示すように、Ａ=１、Ｄ=５なので、本発明の例示で、ダウンリンク個別パイロットを時間領域でそれぞれ５番目、８番目、１１番目のＯＦＤＭシンボルにマッピングする。
【００６０】
前記の内容に基づいて、ステップＳ２０８で、以下のような他のダウンリンク個別パイロットのマッピング処理を行う。
【００６１】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=２番目のサブキャリアにマッピングし、
６番目のダウンリンク個別パイロットを時間領域で８番目のＯＦＤＭシンボルに、周波数領域でＢ+３=５番目のサブキャリアにマッピングし、
７番目のダウンリンク個別パイロットを時間領域で８番目のＯＦＤＭシンボルに、周波数領域でＢ+６=８番目のサブキャリアにマッピングし、
８番目のダウンリンク個別パイロットを時間領域で８番目のＯＦＤＭシンボルに、周波数領域でＢ+９=１１番目のサブキャリアにマッピングし、
９番目のダウンリンク個別パイロットを時間領域で１１番目のＯＦＤＭシンボルに、周波数領域でＣ=３番目のサブキャリアにマッピングし、
１０番目のダウンリンク個別パイロットを時間領域で１１番目のＯＦＤＭシンボルに、周波数領域でＣ+３=６番目のサブキャリアにマッピングし、
１１番目のダウンリンク個別パイロットを時間領域で１１番目のＯＦＤＭシンボルに、周波数領域でＣ+６=９番目のサブキャリアにマッピングし、
１２番目のダウンリンク個別パイロットを時間領域で１１番目のＯＦＤＭシンボルに、周波数領域でＣ+９=１２番目のサブキャリアにマッピングする。
【００６２】
［例示６］
図８に示すように、Ａ=１、Ｄ=５なので、本発明の例示で、ダウンリンク個別パイロットを時間領域でそれぞれ５番目、８番目、１１番目のＯＦＤＭシンボルにマッピングする。
【００６３】
前記の内容に基づいて、ステップＳ２０８で、以下のような他のダウンリンク個別パイロットのマッピング処理を行う。
【００６４】
２番目のダウンリンク個別パイロットを時間領域で５番目のＯＦＤＭシンボルに、周波数領域でＡ+３=４番目のサブキャリアにマッピングし、
３番目のダウンリンク個別パイロットを時間領域で５番目のＯＦＤＭシンボルに、周波数領域でＡ+６=７番目のサブキャリアにマッピングし、
４番目のダウンリンク個別パイロットを時間領域で５番目のＯＦＤＭシンボルに、周波数領域でＡ+９=１０番目のサブキャリアにマッピングし、
５番目のダウンリンク個別パイロットを時間領域で８番目のＯＦＤＭシンボルに、周波数領域でＢ=１番目のサブキャリアにマッピングし、
６番目のダウンリンク個別パイロットを時間領域で８番目のＯＦＤＭシンボルに、周波数領域でＢ+３=４番目のサブキャリアにマッピングし、
７番目のダウンリンク個別パイロットを時間領域で８番目のＯＦＤＭシンボルに、周波数領域でＢ+６=７番目のサブキャリアにマッピングし、
８番目のダウンリンク個別パイロットを時間領域で８番目のＯＦＤＭシンボルに、周波数領域でＢ+９=１０番目のサブキャリアにマッピングし、
９番目のダウンリンク個別パイロットを時間領域で１１番目のＯＦＤＭシンボルに、周波数領域でＣ=１番目のサブキャリアにマッピングし、
１０番目のダウンリンク個別パイロットを時間領域で１１番目のＯＦＤＭシンボルに、周波数領域でＣ+３=４番目のサブキャリアにマッピングし、
１１番目のダウンリンク個別パイロットを時間領域で１１番目のＯＦＤＭシンボルに、周波数領域でＣ+６=７番目のサブキャリアにマッピングし、
１２番目のダウンリンク個別パイロットを時間領域で１１番目のＯＦＤＭシンボルに、周波数領域でＣ+９=１０番目のサブキャリアにマッピングする。
【００６５】
以上の説明から明らかように、本発明では、周波数領域での間隔と時間領域での間隔を予めに設定し、１個目のダウンリンク個別パイロットの位置（周波数領域での開始位置と時間領域での開始位置）を特定し、かつ所定の規則に従うことにより、パイロットシンボルの物理リソースブロックにおける位置が確定できる。
【００６６】
本発明のダウンリンク個別パイロットの構造は、アンテナ数とアンテナ同士間隔が任意であるシングルビーム形成に応用できる。ダウンリンク個別パイロットは、ビームによって区分されるものであり、本発明の実施例がシングルビーム形成に係わるので、本発明の実施例で提供される個別パイロット構造は１チャネルの個別パイロットを含む。当業者にとって、パイロットの密度に応じて、例えば、２個のビームに対して２チャネルの個別パイロットを採用するように、マルチ・ビームに拡張することができる。
【００６７】
以上は本発明の最良な実施例であり、本発明を限定するものではない。当業者にとって、本発明には各種の代替と変更可能することが自明である。本発明の要旨と原則内であれば、全ての修正、同等交替、改善などは本発明の保護範囲内に含まれている。
【国際調査報告】
2011504028.tif 000029
2011504028.tif 000030
2011504028.tif 000031
2011504028.tif 000032